(57)【要約】【課題】比較的容易な方法で、校正板の値を小さくした濁度計用校正板を提供する。【解決手段】表面散乱形濁度計用のスパン校正板であって、直線性を保証した所定の測定範囲で標準的に作製された校正板の校正点を移動させるように構成した。そして、校正点を移動させるに際しては標準の校正板に屈折率の異なる少なくとも一枚の透明部材を積層した。【選択図】　　　図１
2004132855.tif 000002
【特許請求の範囲】
【請求項１】
表面散乱形濁度計用のスパン校正板であって、直線性を保証した所定の測定範囲で標準的に作製された校正板の校正点を移動させるように構成したことを特徴とする濁度計用校正板。
【請求項２】
校正点を移動させるに際しては標準の校正板に屈折率の異なる少なくとも一枚の透明部材を積層したことを特徴とする請求項１記載の濁度計用校正板。
【請求項３】
透明部材は空気を介して積層したことを特徴とする請求項２記載の濁度計用校正板。
【請求項４】
透明部材はガラスであることを特徴とする請求項２又は３項記載の濁度計用校正板。
【発明の詳細な説明】
【０００１】
【発明の属する技術分野】
本発明は、表面散乱形濁度計のスパン校正板に関し、標準的に定められた校正点を移動させた校正板に関する。
【０００２】
【従来の技術】
はじめに表面散乱形濁度計の構成について図３の要部断面図を用いて簡単に説明する。図において１は水平に対して斜めに配置された液槽であり、下方の矢印Ａ方向から測定水が流入する。流入した測定水は上端２でオーバフローし排出口３から流出する。４はオーバフロー端２の斜め上方に配置された投光部であり、投光部４からの光はオーバフロー面５に入射する。この入射光イの一部は反射光ロとなり他は水中を透過して透過光ハとなる。このとき測定水の濁質に応じ散乱した光が散乱光ニとして投光部４に対向してオーバフロー面５の斜め上方に配置された受光部６に入射する。
【０００３】
図４は図３に示す表面散乱形濁度計に校正板８を取り付けた状態を示す要部断面図である。投光部４から出射した光は校正板８で反射し調整された濁度に応じた光が散乱光ニとして受光部６に入射する。
【０００４】
図５は校正板の詳細を示す平面図（ａ）、図（ａ）のＡ−Ａ断面図（ｂ）及び裏面図（ｃ）であり、９は円状の散乱面、１０は散乱面９を囲って設けられた矩形状の保護枠、Ｗで示す部分は液層１への取り付け部分である。
【０００５】
一般に濁度計の測定レンジは例えば２〜２０００ｍｇ／ｌと広く，一種類の校正板では対応出来ない。そのため複数種（例えば１０００，１００，１０ｍｇ／ｌ）の標準液（若しくは校正板）を用いるが，標準液を用いる方法は校正のために多量の標準液を必要とし，コストと手間がかかるという問題の他，高濁度の標準液は液中の濁質粒子が沈降して正しい測定が出来にくいという問題がある。
【０００６】
また，校正板を用いる方法は標準液を用いる場合に比較して簡便であるが，校正板の作製や値付けに多大な工数を必要とし，装置全体のコストアップになるという問題がある。このような問題を解決する従来技術として特開平７−２０９１８５号公報がある。ここに示された技術は、１種類の校正板を用いて広いレンジをカバーすることにより校正作業の簡素化をはかったものである。
【０００７】
前記特開平７−２０９１８５号公報に記載された技術は、予め基準となる濁度計で所定の濁度に値付けされた校正板と，その校正板を用い光源の照度を複数段変化させたときの第１受光素子の出力を記憶する記憶手段と，光源の照度を変化させたときに得られた第１受光素子の出力と同様の信号を入力して光源の照度を変化させるキー入力手段とを有しており，そのキー入力手段により所望のレンジを入力し光源の照度を変化させて測定レンジを切換えるようにしたものである。
【０００８】
上述の技術では，一枚の校正板を用いて所定の濁度を出力するように光源の照度を固定する。記憶手段はその時の第１受光素子の出力値を記憶する。次に第１受光素子の出力が例えば１０倍になるように光源の照度を制御し，そのときの第１受光素子の出力値を記憶手段で記憶する。更に第１受光素子の出力が例えば１／１０になるように光源の照度を制御し，そのときの第１受光素子の出力値を記憶手段で記憶する。次にキー入力手段に設定すべきレンジを入力すると，照度制御手段はその入力した値と記憶した第１受光素子の出力値に対応する照度になるように光源の照度を制御することができる。
【０００９】
【発明が解決しようとする課題】
しかしながら、このような構成の表面散乱形濁度計の校正は、光源の照度を複数段変化させたり、第１受光素子の出力を記憶する記憶手段や光源の照度を変化させたときに得られる第１受光素子の出力と同様の信号を入力して光源の照度を変化させるキー入力手段が必要であり，キー入力手段により所望のレンジを入力して光源の照度を変化させる必要がある。そのため部品点数が増加してコスト増となり、校正に熟練を必要とする。
【００１０】
表面散乱形濁度計の場合、測定液表面の散乱光を利用するため、散乱光が測定液を通過するときに発生する減衰がほとんどないこと、測定液中の多重散乱が少ないことから、原理的に広い測定範囲で（従来品で、０〜２ｍｇ／ｌから０〜２０００ｍｇ／ｌまたは、０〜０．１ｍｇ／ｌから０〜１００ｍｇ／ｌ）濁度値と散乱光量が直線関係となる。
【００１１】
したがって、測定範囲（直線性を保証した範囲）の中の濁度値の校正板が１種類あれば、スパン校正用の校正板として利用できる。
校正板の校正濁度値は、濁度計（機器）制作上のばらつき、および校正板の制作上のばらつきがあることから、校正板の校正濁度値（値付け値）にばらつき（従来機器の場合、０．３０ｍｇ／ｌ〜１０ｍｇ／ｌ程度）が発生するが、上記の理由から問題なく校正板を使用できる。
【００１２】
ところで、一般的に浄水場で管理する濁度値は、２ｍｇ／ｌ以下であることから、浄水場で使用する濁度計の校正板として、２ｍｇ／ｌ以下の濁度値のものが要求されることがある。
【００１３】
従来品の校正板は、０．３０ｍｇ／ｌ〜１０ｍｇ／ｌ程度の範囲で校正板濁度値にばらつきが発生するため、上記の要求（２ｍｇ／ｌ）を満足することは困難である。
図６は濁度（ｍｇ／ｌ）と受光部の出力の関係（０〜１００ｍｇ／ｌ）の概念を示すもので、濁度が増すに従って受光部の出力が直線的に増加する状態をあらわしている。この場合校正板は中央の５０ｍｇ／ｌ付近に合わせて作製される。
【００１４】
このように出力と濁度の関係が直線的なので０〜１００ｍｇ／ｌに合わせて作製された校正板でも０〜１０ｍｇ／ｌの測定範囲の濁度計の校正板として使用可能である。しかし、０〜１０ｍｇ／ｌの測定範囲の場合は例えば５ｍｇ／ｌ程度で校正したいという要求がある。
本発明はこのような測定範囲に合わせた校正板を提供することを目的とする。
【００１５】
【課題を解決するための手段】
このような問題点を解決するために、請求項１においては、
表面散乱形濁度計のスパン校正板であって、直線性を保証した所定の測定範囲で標準的に作製された校正板の校正点を移動させるように構成したことを特徴とする。
【００１６】
請求項２においては、請求項１記載の濁度計用校正板において、
校正点を移動させるに際しては標準の校正板に屈折率の異なる少なくとも一枚の透明部材を積層したことを特徴とする。
【００１７】
請求項３においては、請求項２記載の濁度計用校正板において、
透明部材は空気を介して積層したことを特徴とする。
請求項４においては、請求項２又は３項記載の濁度計用校正板において、
透明部材はガラスであることを特徴とする。
【００１８】
【発明の実施の形態】
以下、図面を用いて本発明を詳細に説明する。
図１は本発明の実施形態の一例を示す構成図である。図１において、８は校正板の要部を示す断面図であり、図３に示すように散乱面９の上に、空気層を介して、ガラス板２０を平行に配置する。
【００１９】
濁度計の投光部４（図４参照）から照射された光は、入射光イとしてガラス面に到達する。ここで、スネルの法則よりガラス表面で、反射光ロと屈折光ホに分離される。反射光ロの反射率は、入射光イの入射角と境界面の物質（空気およびガラス）の屈折率の違いにより決まる。したがって、屈折光ホは、反射光ロの量に応じて減衰する。
【００２０】
屈折光ホは、次の境界面（ガラスと空気）で同様に減衰して、屈折光ヘとなり、校正板８の散乱面９に到達する。
その結果、散乱面９に到達する光量が、入射光量に対して相対的に減少する。
したがって、濁度計の受光部６（図４参照）で捕らえる校正板８の散乱面９での散乱光量が減り、校正板８の濁度値が下がる。
【００２１】
図２は他の実施例を示すもので、ここでは図１に示す校正板に更にガラス板２０ａを空気層を介すことなく積層したものである。
上述のように本発明では既存の校正板８の散乱面の上に、空気層を介してガラス板を平行に配置するという、比較的容易な方法で、校正板の値を小さくすることが可能である。
【００２２】
ガラス板として、ほうけい酸ガラス（白板ガラス）２ｍｍの板を使用した場合、もとの校正板の濁度値に対して、４０〜５０％程度低い濁度値の校正板が得られる。ガラス板の屈折率、透過率を適切に選択すれば、ある程度目標となる濁度校正板を製作することができる。
さらに、ガラス板を直接積層したり空気層を介して複数枚追加設置すれば、校正板の濁度値をさらに下げることができる。
【００２３】
本発明の以上の説明は、説明および例示を目的として特定の好適な実施例を示したに過ぎない。したがって本発明はその本質から逸脱せずに多くの変更、変形をなし得ることは当業者に明らかである。
【００２４】
例えば本発明では積層材としてガラスを用いたが透明もしくは色付のアクリル樹脂等も使用可能である。
特許請求の範囲の欄の記載により定義される本発明の範囲は、その範囲内の変更、変形を包含するものとする。
【００２５】
【発明の効果】
以上述べたように、本発明によれば、既存の校正板の散乱面の上に、空気層を介してガラス板を平行に配置するという、比較的容易な方法で、校正板の値を小さくすることができる。
【００２６】
【図面の簡単な説明】
【図１】本発明の濁度計用校正板の実施形態の一例を示す要部断面図である。
【図２】本発明の他の実施例を示す平面図及びＡ−Ａ断面図である。
【図３】表面散乱形濁度計の要部を示す断面図である。
【図４】表面散乱形濁度計に校正板を取り付けた状態を示す要部断面図である。
【図５】従来の校正板の説明図である。
【図６】濁度と受光部の出力の関係を示す説明図である。
【符号の説明】
１　　液槽
２　　オーバフロー端
３　　排水口
４　　投光部
５　　オーバフロー面
６　　受光部
８　　校正板
９　　散乱面
１０　保護枠
２０　ガラス板
【図１】
2004132855.tif 000003
【図２】
2004132855.tif 000004
【図３】
2004132855.tif 000005
【図４】
2004132855.tif 000006
【図５】
2004132855.tif 000007
【図６】
2004132855.tif 000008